(57)【要約】【課題】バックライト装置が起動されてから発光手段の温度が安定するまでの時間を極力短縮すると共に，その間に表示される映像の色再現性の低下を防止することのできる映像表示装置を提供すること。【解決手段】バックライト装置の起動時（起動時間ｔ１）に，ＬＥＤに印加する電流を通常時よりも大きく設定してＬＥＤの輝度を通常時よりも高めることによりＬＥＤの温度上昇を速めるように構成される。また，ＬＥＤの温度が安定するまでの間（起動時間ｔ１−安定時間ｔ２間）バックライト装置の照明色を検出し，その照明色に基づいて映像信号に含まれた各色の輝度レベルを補正するように構成される。なお，安定時間ｔ２以後は，従来同様のホワイトバランス制御を実行する。【選択図】図３
2008203769.tif 000002
【特許請求の範囲】
【請求項１】
入力された映像信号に基づいて映像を表示する映像表示手段と，異なる色を発光する複数の発光手段を有してなり，前記映像表示手段を背後から照明するバックライト装置と，前記発光手段各々の輝度を制御する輝度制御手段と，前記バックライト装置による照明色を検出する照明色検出手段と，を備えてなる映像表示装置であって，
前記バックライト装置の起動時に，複数の前記発光手段のいずれか一又は複数の輝度が通常時よりも高くなるように前記輝度制御手段を制御する起動輝度制御手段と，
前記照明色検出手段により検出される照明色に基づいて前記映像信号に含まれた各色の輝度情報を補正する映像信号輝度情報補正手段と，
を備えてなることを特徴とする映像表示装置。
【請求項２】
複数の前記発光手段に，発光ダイオード及び／又は蛍光管が含まれてなる請求項１に記載の映像表示装置。
【請求項３】
前記起動輝度制御手段が，複数の前記発光手段のいずれか一又は複数の輝度が最大値近傍となるように前記輝度制御手段を制御してなる請求項１又は２のいずれかに記載の映像表示装置。
【請求項４】
前記照明色検出手段により検出される照明色に基づいて，前記バックライト装置の照明色が白色となるように前記輝度制御手段を制御するホワイトバランス制御手段と，
前記バックライト装置の起動から予め設定された設定時間が経過したこと，或いは前記発光手段の温度が予め設定された設定温度に達したことを条件に，前記起動輝度制御手段及び前記映像信号輝度情報補正手段を無効に，前記ホワイトバランス制御手段を有効に切り替える制御切替手段と，
を更に備えてなる請求項１〜３のいずれかに記載の映像表示装置。
【発明の詳細な説明】
【技術分野】
【０００１】
本発明は，入力された映像信号に基づいて映像を表示する映像表示手段（例えば液晶表示パネル）と，異なる色を発光する複数の発光手段（例えばＬＥＤ）で前記映像表示手段を背後から照明するバックライト装置とを備える映像表示装置に関するものである。
【背景技術】
【０００２】
従来から，入力された映像信号に基づいて映像を表示する液晶表示パネル（映像表示手段の一例）を有するテレビジョン受像機などの映像表示装置には，液晶表示パネルを背後から照明するバックライト装置が設けられる。
例えば，特許文献１には，液晶表示パネルを照明するための光源としてＣＣＦＬ（冷陰極蛍光放電管）を用いるバックライト装置が開示されている。また，前記特許文献１には，バックライト装置の起動開始時において温度の低いＣＣＦＬの輝度の不足を，液晶表示パネルのコントラストを調整して光の減衰を少なくすることによって補うことが提案されている。
【０００３】
一方，Ｒ（赤），Ｇ（緑），Ｂ（青）の光を発光する３種類のＬＥＤ（発光ダイオード）を光源として用いるバックライト装置がある。このバックライト装置には，ＲＧＢの３種類のＬＥＤを一組とする発光部が多数設けられており，その発光部によって液晶表示パネルの全面に光を照射する。
ここで，バックライト装置から液晶表示パネルに白色の光を照明させるためには，ＲＧＢの３種類のＬＥＤを同一の輝度で発光させる必要がある。そのため，映像表示装置では，バックライト装置の照明色を検出してフィードバックし，その照明色に基づいてＬＥＤ各々に入力する電流値を調整してＬＥＤ各々の輝度を制御するホワイトバランス制御が行われる。具体的には，検出されたバックライト装置の照明色と白色との偏差，その積分及び微分の３つの要素によって電流値を制御するＰＩＤ制御が採用される。
【０００４】
ところで，ＬＥＤには，一定の電流を印加してもその輝度が温度によって変動するという特性がある。ここに，図５（ａ）は，ＬＥＤに一定の電流を印加したときの輝度と温度との関係を示すものである。図５（ａ）に示すように，温度が低いほどＬＥＤの輝度は高くなり，温度が高くなるにつれて輝度が低くなる。また，ＬＥＤの色種別によって輝度特性は異なる。
ここで，バックライト装置の起動後，ＬＥＤの温度は発光することによって徐々に上昇することになる。ここに，図５（ｂ）は，バックライト装置の起動時間ｔ１からの経過時間と前記ＬＥＤ各々の輝度との関係を示すものである。図５（ｂ）に示すように，ＬＥＤの輝度は，バックライト装置の起動時間ｔ１に最も高く，その後，時間経過に伴って温度が上昇することにより徐々に低下する。なお，ＬＥＤの温度は，バックライト装置の起動時間ｔ１から急激に上昇し，ある程度の時間（数十分程度）が経過すると安定状態に移行する（安定時間ｔ２）。
そのため，従来のホワイトバランス制御では，バックライト装置の起動時間ｔ１から安定時間ｔ２までの間は，各ＬＥＤに印加する電流の割合を制御して同一輝度に維持するだけではなく，図５（ｃ）に示すように，ＬＥＤ各々に印加する電流を徐々に増加させることでバックライト装置全体の照度を一定に維持するように制御している。
【特許文献１】特開２００１−１１７０７０号公報
【発明の開示】
【発明が解決しようとする課題】
【０００５】
しかしながら，一般にホワイトバランス制御に採用されるＰＩＤ制御では，電流の変化にある程度の時間がかかるため，バックライト装置の起動後，ＬＥＤの温度上昇に伴ってＬＥＤの輝度が急激に変化する状態では，ＬＥＤの輝度の制御が遅れるという問題がある。そのため，バックライト装置の起動時間ｔ１から安定時間ｔ２（図５（ｃ）参照）までの時間（例えば数十分程度）は，バックライト装置のホワイトバランスが崩れて，液晶表示パネルに表示される映像の色再現性が低下するおそれがある。ここで，バックライト装置の起動時にＬＥＤの輝度を一時的に高めてＬＥＤの温度を速く上昇させれば，前記起動時間ｔ１から前記安定時間ｔ２までの時間を短縮することができるが，その場合には，バックライト装置のホワイトバランス制御を行うことができないため，結局，液晶表示パネルに表示される映像の色再現性が低下することになる。
従って，本発明は前記事情に鑑みてなされたものであり，その目的とするところは，バックライト装置が起動されてから発光手段の温度が安定するまでの時間を極力短縮すると共に，その間に表示される映像の色再現性の低下を防止することのできる映像表示装置を提供することにある。
【課題を解決するための手段】
【０００６】
上記目的を達成するために本発明は，入力された映像信号に基づいて映像を表示する映像表示手段と，異なる色を発光する複数の発光手段を有してなり，前記映像表示手段を背後から照明するバックライト装置と，前記発光手段各々の輝度を制御する輝度制御手段と，前記バックライト装置による照明色を検出する照明色検出手段と，を備えてなる映像表示装置に適用されるものであって，前記バックライト装置の起動時に，複数の前記発光手段のいずれか一又は複数の輝度が通常時よりも高くなるように前記輝度制御手段を制御する起動輝度制御手段と，前記照明色検出手段により検出される照明色に基づいて前記映像信号に含まれた各色の輝度情報を補正する映像信号輝度情報補正手段と，を備えてなることを特徴とする映像表示装置として構成される。ここに，前記発光手段は，例えば発光ダイオードや蛍光管などである。
本発明によれば，前記バックライト装置を起動するときに，前記発光手段の輝度が通常時よりも高くなり，該発光手段の温度の上昇が速くなるため，該発光手段を迅速に安定状態に移行させることができる。また，この場合には，前記バックライト装置のホワイトバランスがずれてしまうおそれがあるが，本発明によれば，そのホワイトバランスのずれを，前記映像信号に含まれた各色の輝度情報を補正して補うことが可能であるため，前記映像表示手段に表示される映像の色再現性の低下を防止することもできる。
特に，前記バックライト装置の起動時に，複数の前記発光手段のいずれか一又は複数の輝度が最大値近傍となるように前記輝度制御手段を制御することで，その発光手段の温度を最も速く上昇させることができる。例えば，前記発光手段の定格電流値（最大許容電流値）近傍の電流を印加することで該発光手段の輝度を最大値近傍まで高めればよい。
【０００７】
ところで，前記起動輝度制御手段及び前記映像信号輝度情報補正手段による制御は，前記バックライト装置が起動してから前記発光手段の温度が安定するまでの間だけ行えばよい。そのため，前記バックライト装置の起動から予め設定された設定時間が経過したことや，前記発光手段の温度が予め設定された設定温度に達したこと等を条件に，前記起動輝度制御手段及び前記映像信号輝度情報補正手段を無効にして，前記照明色検出手段により検出される照明色に基づいて前記バックライト装置の照明色が白色となるように前記輝度制御手段を制御するホワイトバランス制御手段を有効に切り替えることが考えられる。なお，前記発光手段の温度が上昇して安定した後で実行されるホワイトバランス制御では，前記バックライト装置の照明色を高い精度で白色に維持することができる。
【発明の効果】
【０００８】
本発明によれば，前記バックライト装置を起動するときに，前記発光手段の輝度が通常時よりも高くなり，該発光手段の温度の上昇が速くなるため，該発光手段を迅速に安定状態に移行させることができる。また，この場合には，前記バックライト装置のホワイトバランスがずれてしまうおそれがあるが，本発明によれば，そのホワイトバランスのずれを，前記映像信号に含まれた各色の輝度情報を補正して補うことが可能であるため，前記映像表示手段に表示される映像の色再現性の低下を防止することもできる。特に，前記バックライト装置の起動時に，複数の前記発光手段のいずれか一又は複数の輝度が最大値近傍となるように前記輝度制御手段を制御することで，その発光手段の温度を最も速く上昇させることができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るテレビジョン受像機Ｘ（映像表示装置の一例）の概略構成を示すブロック図，図２は前記テレビジョン受像機Ｘにおいて実行される起動制御処理の手順の一例を説明するためのフローチャート，図３は前記テレビジョン受像機Ｘの起動制御処理を説明するための図である。
まず，図１に示すブロック図を用いて，本発明の実施の形態に係るテレビジョン受像機Ｘ（映像表示装置の一例）の構成について説明する。なお，前記テレビジョン受像機Ｘは，本発明に係る映像表示装置の一例に過ぎず，例えばパソコンに接続される液晶モニタ等も本発明に係る映像表示装置に該当する。
図１に示すように，前記テレビジョン受像機Ｘは，チューナ１，映像処理部２１，液晶表示装置２２，バックライト装置２４，バックライト駆動部２５，照明色検出センサ２６（照明色検出手段の一例），温度検出センサ２７，音声処理回路３，スピーカ３１，及び制御回路４などを具備して概略構成されている。また，前記テレビジョン受像機Ｘは，これら以外にも，一般的なテレビジョン受像機が有する構成要素（例えばリモコンなど）も備えている。
前記制御回路４は，演算手段であるＭＰＵ４１，そのＭＰＵ４１によって実行される制御プログラムが予め格納される記憶手段であるＲＯＭ４２（ＥＰＲＯＭ），ＭＰＵ４１が実行する処理によって書き込まれる設定情報を記憶するＥＥＰＲＯＭ４３等を備え，当該テレビジョン受像機Ｘ全体を制御するものである。
【００１０】
前記チューナ１は，不図示の放送受信アンテナから映像信号や音声信号を含むテレビジョン放送信号などの放送情報を受信するものである。前記放送情報には，複数の放送局から放送された複数チャンネルのテレビジョン放送信号が含まれている。
前記チューナ１は，前記制御回路４から指示されたチャンネルのテレビジョン放送信号を抽出（選局）するとともに，該テレビジョン放送信号に含まれる音声信号を前記音声処理回路３へ伝送し，該テレビジョン放送信号に含まれる映像信号を前記映像処理部２１へ伝送するものである。
前記音声処理回路３は，前記制御回路４からの指示に従って，前記チューナ１から伝送される音声信号に対してイコライズ処理や，サラウンド処理，増幅処理，減衰処理などの各種信号処理を行うものである。前記スピーカ３１は，前記音声処理回路３から入力された音声信号に基づいて音声を出力する。
【００１１】
前記映像処理部２１は，前記制御回路４からの指示に従って，前記チューナ１から伝送された映像信号に対して各種信号処理を行うものである。例えば，前記映像処理部２１は，ガンマ補正やエッジ強調，ノイズ除去などの画質改善処理を行う。前記映像処理部２１で各種信号処理が施された映像信号は，該映像処理部２１から前記液晶表示装置２２へ伝送される。また，前記映像処理部２１では，後述する起動制御処理（図２のフローチャート参照）において，前記映像信号に含まれるＲＧＢ各色の輝度レベルを補正するための処理が行われる。
前記液晶表示装置２２（映像表示手段の一例）は，液晶駆動部（ＬＣＤドライバ）２３１及び液晶表示パネル２３２を有している。前記液晶駆動部２３１は，前記映像処理部２１から入力された映像信号に基づいて前記液晶表示パネル２３２に映像を表示させる。
【００１２】
前記バックライト装置２４は，Ｒ（赤），Ｇ（緑），Ｂ（青）の異なる３色の光を発光する赤ＬＥＤ２４１，緑ＬＥＤ２４２，青ＬＥＤ２４３の３種類のＬＥＤ（発光手段の一例）を有しており，前記液晶表示パネル２３２を背後から照明するものである。前記バックライト装置２４には，前記赤ＬＥＤ２４１，前記緑ＬＥＤ２４２及び前記青ＬＥＤ２４３を一組とする発光部が複数配列されている。
前記バックライト駆動部２５（輝度制御手段の一例）は，前記制御回路４からの指示に基づいて前記バックライト装置２４の駆動の有無や，該バックライト装置２４に設けられた前記赤ＬＥＤ２４１，前記緑ＬＥＤ２４２及び前記青ＬＥＤ２４３各々の輝度を個々に制御する。具体的には，不図示の電源装置から前記赤ＬＥＤ２４１，前記緑ＬＥＤ２４２及び前記青ＬＥＤ２４３各々に印加される電流を個別に制御することにより各々の輝度を制御する。
【００１３】
前記照明色検出センサ２６は，前記バックライト装置２４から前記液晶表示パネル２３２に照明される光の色を検出するものである。具体的には，前記バックライト装置２４から照明される光に含まれたＲＧＢ各色の輝度が検出される。前記照明色検出センサ２６による検出結果は，前記制御回路４に入力される。
前記温度検出センサ２７は，サーミスタなどを有してなり，前記バックライト装置２４の内部温度，即ち前記赤ＬＥＤ２４１，前記緑ＬＥＤ２４２及び前記青ＬＥＤ２４３の近傍温度を検出するものであって，該温度検出センサ２７による検出結果は，前記制御回路４に入力される。
【００１４】
また，前記制御回路４は，前記照明色検出センサ２６による検出結果に基づいて，前記バックライト装置２４の照明色を白色に維持するように前記バックライト駆動部２５を制御するホワイトバランス制御を実行するホワイトバランス制御機能を有している。具体的に，前記ホワイトバランス制御では，前記赤ＬＥＤ２４１，前記緑ＬＥＤ２４２及び前記青ＬＥＤ２４３各々の輝度が同一となるように該ＬＥＤ各々に印加する電流を制御することにより，前記バックライト装置２４の照明色を白色に維持する。ここに，かかる制御を実行するときの前記制御回路４がホワイトバランス制御手段に相当する。
以下，前記テレビジョン受像機Ｘにおいて，前記ホワイトバランス制御機能によるホワイトバランス制御によって，前記赤ＬＥＤ２４１，前記緑ＬＥＤ２４２及び前記青ＬＥＤ２４３各々の輝度，即ち該ＬＥＤ各々に印加される電流が制御されている状態を通常時という。
【００１５】
ところで，既に述べたように，従来は，前記バックライト装置２４の起動開始時においても，通常時と同様にホワイトバランス制御が行われていたため，前記赤ＬＥＤ２４１，前記緑ＬＥＤ２４２及び前記青ＬＥＤ２４３各々の温度上昇に時間がかかり，前記液晶表示パネル２３２に表示される映像の色再現性が低下する状態，即ち色ずれが生じている状態が長時間継続することが問題となっていた。
しかしながら，前記テレビジョン受像機Ｘでは，前記バックライト装置２４の起動開始時に，前記制御回路４によって，前記ホワイトバランス制御ではなく後述の起動制御処理が実行されることにより，前記赤ＬＥＤ２４１，前記緑ＬＥＤ２４２及び前記青ＬＥＤ２４３各々の温度が迅速に上昇される。
【００１６】
以下，図２のフローチャートに従って，図３を参照しつつ，前記バックライト装置２４の起動時に前記制御回路４によって実行される起動制御処理の手順の一例について説明する。なお，以下に示すＳ１，Ｓ２，…は，処理手順（ステップ）の識別記号を表す。
（ステップＳ１）
まず，ステップＳ１では，前記制御回路４によって，前記バックライト装置２４を起動させる必要があるか否かが判断される。具体的には，前記テレビジョン受像機Ｘの電源入操作が不図示のリモコンに対して行われたか否か等によって判断される。なお，前記ステップＳ１は，前記テレビジョン受像機Ｘの電源入操作が不図示のリモコンによって行われるまで繰り返し実行される（Ｓ１のＮｏ側）。
一方，前記テレビジョン受像機Ｘの電源入操作が不図示のリモコンによって行われ，前記制御回路４によって，前記バックライト装置２４を起動させる必要があると判断されると（Ｓ１のＹｅｓ側），処理はステップＳ２に移行する。
【００１７】
（ステップＳ２）
ステップＳ２では，前記制御回路４によって，前記バックライト駆動部２５が制御されることにより，前記バックライト装置２４が起動される。このとき，前記制御回路４は，前記赤ＬＥＤ２４１，前記緑ＬＥＤ２４２及び前記青ＬＥＤ２４３各々の輝度が最大値近傍となるように，前記バックライト駆動部２５を制御する。ここに，かかる制御を実行するときの前記制御回路４が起動輝度制御手段に相当する。以下，かかる制御機能を起動輝度制御機能と称する。
具体的に，前記制御回路４は，図３（ａ）に示すように，前記バックライト装置２４が起動されると（起動時間ｔ１），各ＬＥＤに定格電流（最大許容電流）値近くの高い電流が印加されるように前記バックライト駆動部２５を制御する。これにより，図３（ｂ）に示すように，各ＬＥＤの輝度は最大値近くまで高められるため，ＬＥＤの温度が迅速に上昇することになる。したがって，前記テレビジョン受像機Ｘでは，前記バックライト装置２４の起動時間ｔ１から，ＬＥＤの温度が上昇して安定する安定時間ｔ３までの時間を極力短縮させることができる。なお，ここでは，ＬＥＤの輝度を最大値近傍まで高める場合について説明したが，少なくとも前記バックライト装置２４の通常時の輝度よりも高い輝度で発光させることによって，ＬＥＤの温度上昇を従来よりも速めることができる。
【００１８】
但し，前述したように，前記バックライト装置２４の起動時に，前記赤ＬＥＤ２４１，前記緑ＬＥＤ２４２及び前記青ＬＥＤ２４３各々を最大輝度で発光させるためには，その起動時に前記ホワイトバランス制御機能を無効にしておく必要がある。そのため，前記バックライト装置２４の照明色が，ホワイトバランスのずれによって有色化し，前記液晶表示パネル２３２に表示される映像の色再現性が低下する（色ずれが生じる）ことになる。
しかし，当該起動制御処理では，前記バックライト装置２４の起動時間ｔ１から安定時間ｔ３までの間，下記のステップＳ３及びＳ４が実行されることにより，前記バックライト装置２４の照明色のホワイトバランスのずれが補われる。
【００１９】
（ステップＳ３，Ｓ４）
まず，ステップＳ３では，前記制御回路４によって前記照明色検出センサ２６が制御されることにより，該照明色検出センサ２６によって前記バックライト装置２４の照明色におけるＲＧＢ各色の成分の輝度が検出され，前記制御回路４に入力される。
そして，ステップＳ４では，前記制御回路４によって，前記照明色検出センサ２６によって検出された前記バックライト装置２４の照明色におけるＲＧＢ各色の成分の輝度に基づいて，前記チューナ１から入力された映像信号に含まれたＲＧＢ各色の輝度レベル（輝度情報の一例）を補正するための処理が実行される。具体的に，前記制御回路４は，前記映像処理部２１を制御することにより，前記映像信号に含まれたＲＧＢ各色の輝度レベルを補正する。例えば，前記映像信号に含まれたＲＧＢ各色の映像信号の増幅率（ゲイン）を変更することにより輝度レベルを補正することが可能である。ここに，かかる処理を実行するときの前記制御回路４が映像信号輝度情報補正手段に相当する。以下，かかる処理機能を輝度レベル補正機能と称する。
【００２０】
具体的に，図３（ｂ），（ｃ）に示すように，前記バックライト装置２４の照明色における赤色成分の輝度，即ち前記赤ＬＥＤ２４１の輝度が高い場合には，前記映像処理部２１において，前記映像信号に含まれた赤色成分の輝度レベルを下げるように補正が行われる。その後，前記赤ＬＥＤ２４１の輝度が時間経過によって徐々に低下すると，それに伴って映像信号に含まれた赤色成分の輝度レベルが徐々に上げられる。なお，前記緑ＬＥＤ２４２及び前記青ＬＥＤ２４３についても同様である。
このように，前記テレビジョン受像機Ｘでは，前記バックライト装置２４のホワイトバランスのずれによる前記液晶表示パネル２３２の表示映像の色再現性の低下が，前記映像信号における各色の輝度レベルの補正によって防止される。
なお，前記照明色検出センサ２６が，ＲＧＢ各色の輝度ではなく前記バックライト装置２４の照明色だけを検出するものであって，前記制御回路４が，前記照明色検出センサ２６によって検出された前記バックライト装置２４の照明色に基づいて映像信号に含まれたＲＧＢ各色の輝度を示す輝度情報を補正する構成も他の実施例として考えられる。また，本実施の形態では，前記映像信号におけるＲＧＢ各々の輝度レベルを個々に調整する場合を例に説明したが，前記映像信号におけるＲＧＢの輝度割合（ホワイトバランス）を調整することも他の実施例として考えられる。
【００２１】
その後，前記ステップＳ３及びＳ４の処理は，前記温度検出センサ２７による検出温度，即ち前記バックライト装置２４の内部温度が予め設定された設定温度に達したと，前記制御回路４によって判断されるまで継続される（ステップＳ５のＮｏ側）。なお，前記バックライト装置２４の起動から予め設定された設定時間が経過したと判断されるまで継続することも他の実施例として考えられる。ここに，前記設定温度や前記設定時間は，ＬＥＤの温度が上昇して安定状態に移行したことを判断するための指標であって，予め実験やシミュレーションによって導出すればよい。
そして，前記制御回路４によって，前記温度検出センサ２７による検出温度が前記設定温度に達したと判断されると（Ｓ５のＹｅｓ側），処理はステップＳ６に移行する。
【００２２】
ステップＳ６では，前記制御回路４によって，前記起動輝度制御機能及び前記輝度レベル補正機能が無効に，前記ホワイトバランス制御機能が有効に切り替えられる。ここに，かかる切替処理を実行するときの前記制御回路４が，制御切替手段に相当する。
これにより，前記制御回路４の前記ホワイトバランス制御機能による前記ホワイトバランス制御が開始され，前記赤ＬＥＤ２４１，前記緑ＬＥＤ２４２及び前記青ＬＥＤ２４３の輝度が同一になるように，該ＬＥＤ各々に印加する駆動電流が制御される（図３の安定時間ｔ２以降）。このとき，各ＬＥＤの温度は，前記設定温度まで上昇して安定しているため，前記ホワイトバランス制御では，前記バックライト装置２４のホワイトバランスを高い精度で調整することができる。
なお，前記テレビジョン受像機Ｘが，該テレビジョン受像機Ｘの外部の周辺照度を検出するセンサを有しており，該センサによって検出された照度に基づいて，前記バックライト装置２４全体の照度を制御するものである場合には，前記ステップＳ１〜Ｓ５までの間は，その制御機能を無効化し，前記ステップＳ６における前記ホワイトバランス制御の開始と共に開始すればよい。
【００２３】
以上説明したように，前記テレビジョン受像機Ｘでは，前記バックライト装置２４の起動時に，各ＬＥＤの輝度が通常時よりも高くなるように制御すると共に，前記バックライト装置２４の照明色に基づいて映像信号に含まれた各色の輝度レベルを補正することにより，前記バックライト装置２４の起動時間ｔ１から安定時間ｔ３までの時間を極力短縮することができ，且つ，その間の前記液晶表示パネル２３２の表示映像の色再現性の低下（色ずれ）を防止することができる。
なお，本実施の形態では，前記バックライト装置２４の起動時に，前記赤ＬＥＤ２４１，前記緑ＬＥＤ２４２及び前記青ＬＥＤ２４３の輝度を通常時よりも高める場合について説明したが，これに限られず，例えば，図５（ａ）に示すように温度変化による輝度変化が大きい前記赤ＬＥＤ２４１だけの輝度を高めることも考えられる。この場合には，前記映像信号の赤色成分の輝度レベルだけを補正すればよい。
【実施例】
【００２４】
ここに，図４は本発明の実施例に係るテレビジョン受像機Ｘ１の起動制御処理の処理内容を説明するための図である。
前記実施の形態では，前記バックライト装置２４が，発光手段として複数種類のＬＥＤを有する構成について説明した。本実施例では，前記バックライト装置２４が，発光手段として蛍光管の一種である白色のＣＣＦＬ（冷陰極蛍光放電管）及び赤ＬＥＤを有する場合について説明する。なお，前記赤ＬＥＤは，前記ＣＣＦＬに沿って多数配列されるものであって，該ＣＣＦＬで不足する赤色の波長光を補って前記バックライト装置２４の照明色の白色の純度を高めるためのものである。
本発明は，このように構成された前記バックライト装置２４を有するテレビジョン受像機Ｘ１にも適用することが可能である。なお，前記テレビジョン受像機Ｘ１は，前記バックライト装置２４を除く他の構成要素については，前記テレビジョン受像機Ｘ（図１参照）と同様であるため，その図示及び説明を省略する。
前記テレビジョン受像機Ｘ１では，前記バックライト装置２４の起動時に，図４（ａ）に示すように前記赤ＬＥＤに印加される駆動電流を通常時よりも高めることによって，図４（ｂ）に示すように前記赤ＬＥＤの輝度を通常時よりも高めるように制御する。これにより，前記赤ＬＥＤの温度上昇を速めて起動時間ｔ１から安定時間ｔ３までの時間を極力短縮することができる。但し，この場合，前記バックライト装置２４の照明色の赤色成分の輝度が通常時よりも高くなり，前記バックライト装置２４のホワイトバランスが崩れ，前記液晶表示パネル２３２の表示映像の色再現性が低下する。そのため，図４（ｃ）に示すように，前記映像処理部２１において映像信号に含まれた赤色成分の輝度レベルを補正する。
【図面の簡単な説明】
【００２５】
【図１】本発明の実施の形態に係るテレビジョン受像機（映像表装置の一例）の概略構成を示すブロック図。
【図２】本発明の実施の形態に係るテレビジョン受像機において実行される起動制御処理の手順の一例を説明するためのフローチャート。
【図３】本発明の実施の形態に係るテレビジョン受像機の起動制御処理を説明するための図。
【図４】本発明の実施例に係るテレビジョン受像機の起動制御処理の処理内容を説明するための図。
【図５】ＬＥＤの特性を説明するための図。
【符号の説明】
【００２６】
１…チューナ
２１…映像処理部
２２…液晶表示装置
２３１…液晶駆動部
２３２…液晶表示パネル（映像表示手段の一例）
２４…バックライト装置
２４１…赤ＬＥＤ（発光手段の一例）
２４２…緑ＬＥＤ（発光手段の一例）
２４３…青ＬＥＤ（発光手段の一例）
２５…バックライト駆動部
３…音声処理回路
３１…スピーカ
４…制御回路
Ｘ…テレビジョン受像機（映像表示装置の一例）
Ｓ１，Ｓ２，，，…処理手順（ステップ）番号
【図１】
2008203769.tif 000003
【図２】
2008203769.tif 000004
【図３】
2008203769.tif 000005
【図４】
2008203769.tif 000006
【図５】
2008203769.tif 000007